(57)【要約】      （修正有）【課題】硬質スーツケースの主な収納空間に、電子製品を取出し、又は入れることが容易となり、電子製品を確実に保護する硬質スーツケース用電子製品収納構造を提供する。【解決手段】スーツケース２０は、互いに対応する、前ケース蓋２１と、後ケース蓋２２と、を有し、前ケース蓋２１に収納構造が設けられている硬質スーツケース用電子製品収納構造において、収納構造は、前ケース蓋２１と、仕切構造３０と、第１収納ケース４０と、少なくとも一つの第２収納ケース５０と、を含み、前ケース蓋２１は、互いに対向する、裏面と外面とを有し、仕切構造は、前ケース蓋２１の裏面に設けられ、中空な構造であり、組付け口２３に対向している物入れ口３１を有し、第１収納ケース４０は、前ケース蓋２１の外面に設けられる組付け枠４１と、上蓋と、を有し、第２収納ケース５０は、前ケース蓋２１の外面に固定される組付け台５１と、下蓋と、を有する。【選択図】図６
0003187772.tif 000002
【実用新案登録請求の範囲】
【請求項１】
スーツケースは、互いに対応する、前ケース蓋と、後ケース蓋と、を有し、前記前ケース蓋に収納構造が設けられている硬質スーツケース用電子製品収納構造において、
前記前ケース蓋と、仕切構造と、第１収納ケースと、少なくとも一つの第２収納ケースと、を含み、
前記前ケース蓋は、互いに対向している、裏面と、外面と、を有し、その表面の上部に組付け口が設けられており、
前記仕切構造は、前記前ケース蓋の前記裏面に設けられており、中空な構造であり、前記組付け口に対向している物入れ口を有し、
前記第１収納ケースは、前記前ケース蓋の前記外面に設けられている組付け枠と、ジッパーにより前記組付け枠に組付けることが可能な上蓋と、を有し、前記組付け枠には、前記組付け口の周囲に固定されている開口が成形されており、これにより、前記第１収納ケースの内部空間は、前記開口と前記組付け口を経由して前記仕切構造の内部空間と連通しており、
前記第２収納ケースは、前記前ケース蓋の前記外面に固定されている組付け台と、ジッパーにより前記組付け台に組付けることが可能な下蓋と、を有することを特徴とする、
硬質スーツケース用電子製品収納構造。
【請求項２】
前記スーツケースは、前記前ケース蓋の前記外面の一つの底部に設けられている二つの前記第２収納ケースを有することを特徴とする、請求項１に記載の硬質スーツケース用電子製品収納構造。
【請求項３】
前記第２収納ケースは、更に、裏袋を有し、前記裏袋は、前記組付け台と前記下蓋の間に設けられており、その開口に規制バンドが設けられており、前記仕切構造の物入れ口に規制バンドが設けられていることを特徴とする、請求項１又は請求項２に記載の硬質スーツケース用電子製品収納構造。
【請求項４】
複数のリベットにより、前記第１収納ケースの前記組付け枠の開口は前記組付け口の周囲に固定されており、前記第２収納ケースの前記組付け台は前記前ケース蓋の前記外面に固定されていることを特徴とする、請求項１に記載の硬質スーツケース用電子製品収納構造。
【考案の詳細な説明】
【技術分野】
【０００１】
本考案は、硬質スーツケースの収納構造に関し、特に、ノートパーソナルコンピュータとその周辺の電子製品を収納可能な硬質スーツケース用電子製品収納構造に関するものである。
【背景技術】
【０００２】
現在、ノートパーソナルコンピュータを収納可能な硬質スーツケースが開発され、市販されている。このような硬質スーツケースにより、運搬時に、ノートパーソナルコンピュータの衝撃による損壊を防止することが可能である。
図１及び図２を参照する。図１は従来の硬質スーツケースのコンピュータ収納構造を示す斜視図であり、図２は従来の硬質スーツケースのコンピュータ収納構造の使用状態を示す断面図である。スーツケース１０は、図１及び図２に示すように、前ケース蓋１０１と、引きロッド１０３が組み付けられている後ケース蓋１０２と、を含む。前ケース蓋１０１は、ほぼ矩形を呈し、互いに対応する、第１開口１１１と、第２開口１１２と、を有する。
ジッパーにより、第１開口１１１は後ケース蓋１０２と結合することが可能である。ジッパーにより、第２開口１１２は蓋１２と結合することが可能である。前ケース蓋１０１の内部に仕切構造１３が設けられている。仕切構造１３は、ケース１１の第１開口１１１と第２開口１１２の間に設けられている仕切板１３１を有する。
仕切板１３１の第２開口１１２に向いている面に規制板１３２が設けられている。規制板１３２と仕切板１３１により、第１空間Ｒ１と開口１３３が規定されている。第１空間Ｒ１はノートパーソナルコンピュータＡを収容することが可能である。規制板１３２と蓋１２により、第２空間Ｒ２が規定されている。第２空間Ｒ２により、例えば充電器、マウス、携帯式ハードディスクや電源ケーブルなどのノートパーソナルコンピュータＡの周辺の電子製品、又はその他の品物を収納することが可能である。
【０００３】
特に、ノートパーソナルコンピュータＡを保護するために、スーツケース１０に硬質材料を採用するため、ノートパーソナルコンピュータＡを取出し、又は入れるときに、図１に示すように、蓋１２とケース１１の間のジッパーを完全に開けないと、ノートパーソナルコンピュータＡを順調に取出し、又は入れることができない。しかし、スーツケース１０の第１空間Ｒ１と第２空間Ｒ２を開閉する蓋１２の寸法は、前ケース蓋１０１と後ケース蓋１０２との寸法とほぼ同じであるため、蓋１２とケース１１の間の開口が極めて大きい。
図２に示すように、蓋１２とケース１１を合わせた後、第２空間Ｒ２は扁平で狭くて深い空間であるため、入れられた品物が第２空間Ｒ２の底部に集中する。このように、品物を容易に整理することができず、第２空間Ｒ２の上部の空間を有効に利用することもできない。そして蓋１２とケース１１を合わせた後、第２空間Ｒ２の底部に集中する品物は、互いに押付けられ、又はノートパーソナルコンピュータＡに押し付けられるため、ノートパーソナルコンピュータＡが傷付けられる可能性がある。
【考案の概要】
【考案が解決しようとする課題】
【０００４】
本考案の主な目的は、仕切構造を設けることにより、硬質スーツケースの主な収納空間に電子製品を収納することが可能であり、第１収納ケースを開けることにより、硬質スーツケースの主な収納空間に、電子製品を取出し、又は入れることが容易となり、電子製品を確実に保護することが可能な硬質スーツケース用電子製品収納構造を提供することにある。
【０００５】
本考案の次の目的は、スーツケースの前ケース蓋の外面に第２収納ケースが少なくとも一つ設けられており、第２収納ケースの内部は独立な空間を有するため、品物を容易に整理することができ、スーツケースの内部の空間を有効に利用することもできる硬質スーツケース用電子製品収納構造を提供することにある。
【０００６】
本考案の別の目的は、スーツケースの中央位置に収納されている電子製品を確実に保護することが可能な硬質スーツケース用電子製品収納構造を提供することにある。
【課題を解決するための手段】
【０００７】
本考案の硬質スーツケース用電子製品収納構造によると、スーツケースは、互いに対応する、前ケース蓋と、後ケース蓋と、を有し、前ケース蓋に収納構造が設けられている硬質スーツケース用電子製品収納構造において、収納構造は、前ケース蓋と、仕切構造と、第１収納ケースと、少なくとも一つの第２収納ケースと、を含み、前ケース蓋は、互いに対向している、裏面と、外面と、を有し、その表面の上部に組付け口が設けられており、仕切構造は、前ケース蓋の裏面に設けられており、中空な構造であり、組付け口に対向している物入れ口を有し、第１収納ケースは、前ケース蓋の外面に設けられている組付け枠と、ジッパーにより組付け枠に組付けることが可能な上蓋と、を有し、組付け枠には、組付け口の周囲に固定されている開口が成形されており、これにより、第１収納ケースの内部空間は、開口と組付け口を経由して仕切構造の内部空間と連通しており、第２収納ケースは、前ケース蓋の外面に固定されている組付け台と、ジッパーにより組付け台に組付けることが可能な下蓋と、を有することを特徴とする。
【０００８】
本考案の硬質スーツケース用電子製品収納構造によると、スーツケースは、前ケース蓋の外面の一つの底部に設けられている二つの第２収納ケースを有することを特徴とする。
【０００９】
本考案の硬質スーツケース用電子製品収納構造によると、第２収納ケースは、更に、裏袋を有し、裏袋は、組付け台と下蓋の間に設けられており、その開口に規制バンドが設けられており、仕切構造の物入れ口に規制バンドが設けられていることを特徴とする。
【００１０】
本考案の硬質スーツケース用電子製品収納構造によると、複数のリベットにより、第１収納ケースの組付け枠の開口は組付け口の周囲に固定されており、第２収納ケースの組付け台は前ケース蓋の外面に固定されていることを特徴とする。
【考案の効果】
【００１１】
本考案の硬質スーツケース用電子製品収納構造によれば、次のような効果がある。
（１）仕切構造を設けることにより、硬質スーツケースの主な収納空間に電子製品を収納することが可能であり、第１収納ケースを開けることにより、硬質スーツケースの主な収納空間に、電子製品を取出し、又は入れることが容易となり、電子製品を確実に保護することが可能である。
【００１２】
（２）スーツケースの前ケース蓋の外面に第２収納ケースが少なくとも一つ設けられており、第２収納ケースの内部は独立な空間を有するため、品物を容易に整理することができ、スーツケースの内部の空間を有効に利用することもできる。
【００１３】
（３）スーツケースの中央位置に収納されている電子製品を確実に保護することが可能である。
【図面の簡単な説明】
【００１４】
【図１】従来の硬質スーツケースのコンピュータ収納構造を示す斜視図である。
【図２】従来の硬質スーツケースのコンピュータ収納構造の使用状態を示す断面図である。
【図３】本考案の硬質スーツケースの収納状態を示す斜視図である。
【図４】本考案の硬質スーツケースの展開状態を示す斜視図である。
【図５】本考案の一実施例の展開状態を示す斜視図である。
【図６】本考案の硬質スーツケースによりノートパーソナルコンピュータを収納している状態を示す模式図である。
【図７】本考案の別の実施例を示す模式図である。
【考案を実施するための形態】
【００１５】
以下、本考案の実施の形態を図面に基づいて説明する。
図３から図６を参照する。図３は本考案の硬質スーツケースの収納状態を示す斜視図であり、図４は本考案の硬質スーツケースの展開状態を示す斜視図であり、図５は本考案の一実施例の展開状態を示す斜視図であり、図６は本考案の硬質スーツケースによりノートパーソナルコンピュータを収納している状態を示す模式図である。
本考案の電子製品収納構造は、硬質スーツケースに適用され、ノートパーソナルコンピュータＡなどの電子製品を収納することが可能である。スーツケース２０は、図３及び図４に示すように、互いに対応する、前ケース蓋２１と、後ケース蓋２２と、を有する。前ケース蓋２１と後ケース蓋２２の間にジッパー２６が設けられていることにより、前ケース蓋２１と後ケース蓋２２を開け、又は合わせることが可能である。
前ケース蓋２１は、互いに対向している、裏面２１１と、外面２１２と、を有する。前ケース蓋２１の表面には、互いに対応する、上部２１３と、底部２１４と、が設けられている。前ケース蓋２１の上部２１３に組付け口２３が設けられている。後ケース蓋２２は、引きロッド構造２４と、ハンドル２７と、互いに対応する、上部２２１と、底部２２２と、を有する。スーツケース２０の前ケース蓋２１と後ケース蓋２２の底部２１４、２２２には、二つのローラ２５がそれぞれ設けられている。
【００１６】
本考案の硬質スーツケースの電子製品収納構造は、前ケース蓋２１に設けられており、前ケース蓋２１と、仕切構造３０と、第１収納ケース４０と、少なくとも一つの第２収納ケース５０と、を含む。仕切構造３０は、前ケース蓋２１の裏面２１１に設けられており、中空な構造であり、前ケース蓋２１の組付け口２３に対向している物入れ口３１を有する。物入れ口３１により、仕切構造３０にノートパーソナルコンピュータなどの電子製品を取出し、又は入れることが可能である。物入れ口３１に規制バンド３１１が設けられている。規制バンド３１１により、収容されているノートパーソナルコンピュータＡを固定することが可能である。
本実施例では、仕切構造３０の物入れ口３１と前ケース蓋２１の組付け口２３は、粘着剤、超音波、リベット、又は縫製によって結合されている。仕切構造３０は、硬質で扁平なケース構造、又は軟質で矩形を呈する袋構造である。仕切構造３０が硬質で扁平なケース構造である場合には、その裏壁面に軟質な緩衝材料を設けることにより、電子製品と仕切構造３０の摩擦及び衝突を防止することが可能である。
特に、図６に示すように、仕切構造３０と前ケース蓋２１の組付け口２３との前面には、第１収納ケース４０と第２収納ケース５０が設けられているため、収納されている電子製品が圧迫されることはない。仕切構造３０の上側、下側、右側、左側及び後側は、前ケース蓋２１との間に隙間があるため、外部からの押付によりスーツケースが圧迫されても、収納されているノートパーソナルコンピュータＡなどの電子製品を確実に保護することが可能である。
【００１７】
第１収納ケース４０と第２収納ケース５０は、前ケース蓋２１の外面２１２に設けられている。第１収納ケース４０は、前ケース蓋２１の外面２１２に設けられている組付け枠４１と、ジッパー４３により組付け枠４１に組付けることが可能な上蓋４２と、を有する。上蓋４２と組付け枠４１の間には、扇形を呈する連接シート４５が二つ設けられている。
連接シート４５により、上蓋４２の開閉状態を規制することが可能である。組付け枠４１には、組付け口２３の周囲に固定されている開口４１１が成形されている。これにより、第１収納ケース４０の内部空間は、開口４１１と組付け口２３を経由して仕切構造３０の内部空間と連通している。第１収納ケース４０の組付け枠４１の開口４１１には、内縁４１２が成形されている。複数のリベット４４により、内縁４１２が組付け口２３の周囲に固定されている。しかし、組付け枠４１と組付け口２３の組付け方式はこれらに限定されない。もちろん、ジッパーにより、組付け枠４１と組付け口２３を結合してもよい。
【００１８】
第２収納ケース５０は、前ケース蓋２１の外面２１２に固定されている組付け台５１と、ジッパー５３により組付け台５１に組付けることが可能な下蓋５２と、を有し、前ケース蓋２１の外面２１２の底部２１４に設けられている。下蓋５２と組付け台５１の間には、扇形を呈する連接シート５６が二つ設けられている。連接シート５６により、下蓋５２の開閉状態を規制することが可能である。
図３及び図７に示すように、収納される品物を分類するために、スーツケース２０に単一の第２収納ケース５０を設けて、図３に示すように、第２収納ケース５０の内部に、規制バンド５５１を有する裏袋５５を設け、又は図７に示すように、スーツケース２０に二つ以上の第２収納ケース５０を設ける。両方とも収納される品物を分類することが可能である。また、複数のリベット５４により、第２収納ケース５０の組付け台５１が前ケース蓋２１の外面２１２に固定されている。
【００１９】
上記の説明から明らかなように、本考案の仕切構造３０、第１収納ケース４０及び第２収納ケース５０により、第１収納ケース４０の上蓋４２を開けると、電子製品を取出し、又は入れることが可能であり、そして第１収納ケース４０の内部空間は電子製品を収納することが可能である。第１収納ケース４０に第２収納ケース５０を合わせて利用することにより、スーツケース２０の空間の利用率を増加することが可能であり、そして収納される品物を分類することも可能である。
【００２０】
本考案は、硬質スーツケースに適用することができる。
【符号の説明】
【００２１】
１０  スーツケース
１１  ケース
１２  蓋
１３  仕切構造
２０  スーツケース
２１  前ケース蓋
２２  後ケース蓋
２３  組付け口
２４  引きロッド構造
２５  ローラ
２６  ジッパー
２７  ハンドル
３０  仕切構造
３１  物入れ口
４０  第１収納ケース
４１  組付け枠
４２  上蓋
４３  ジッパー
４４  リベット
４５  連接シート
５０  第２収納ケース
５１  組付け台
５２  下蓋
５３  ジッパー
５４  リベット
５５  裏袋
５６  連接シート
１０１  前ケース蓋
１０２  後ケース蓋
１０３  引きロッド
１１１  第１開口
１１２  第２開口
１３１  仕切板
１３２  規制板
１３３  開口
２１１  裏面
２１２  外面
２１３  上部
２１４  底部
２２１  上部
２２２  底部
３１１  規制バンド
４１１  開口
４１２  内縁
５５１  規制バンド
Ａ  ノートパーソナルコンピュータ
Ｒ１  第１空間
Ｒ２  第２空間
【図１】
0003187772.tif 000003
【図２】
0003187772.tif 000004
【図３】
0003187772.tif 000005
【図４】
0003187772.tif 000006
【図５】
0003187772.tif 000007
【図６】
0003187772.tif 000008
【図７】
0003187772.tif 000009